(57)【要約】【課題】脚立を用いた作業において、室内作業時には床材を傷つける問題があり、室外作業と室内作業を交互に行う場合には、室外の泥を室内に持ち込む恐れがある。【解決手段】脚立の天板裏より伸縮自在な懸架部材によって吊り下げられた、４つの袋状部を持つ脚立用脚カバーを用いることにより、非装着中には天板裏より吊り下げられているため紛失せず、装着時には袋状部を引っ張って各脚先に袋状部を被せるだけで瞬時に装着可能で、装着中は懸架部材の張力により袋状部の落下が防がれる。これにより室内作業時の床材の保護と、室外作業時に付いた泥を室内に持ち込まず、かつ付け外しの時間が極めて短いことから、作業効率が向上する。【選択図】図１
2018109316.tif 000002
【特許請求の範囲】
【請求項１】
脚立において、縮長が地面に届かない程度上部より伸縮自在な懸架部材によって吊り下げられた、４つの袋状部を持つ脚立用脚カバー
【請求項２】
上記懸架部材が、最上段の天板より４つの袋状部を吊り下げる請求項１記載の脚立用脚カバー
【請求項３】
上記懸架部材が、左右同高度の中途段の踏み板より２つずつの袋状部を吊り下げる請求項１記載の脚立用脚カバー
【請求項４】
上記懸架部材が、複数の独立した懸架部材により袋状部を直接吊り下げる、請求項１〜３記載の脚立用脚カバー
【請求項５】
上記懸架部材が、複数の独立した懸架部材により袋状部を直接吊り下げる下部懸架部材と、下部懸架部材を吊り下げる一つの上部懸架部材からなる、請求項１〜３記載の脚立用脚カバー
【請求項６】
上記懸架部材の伸縮性が、ゴム、スプリング、メリヤス編み、巻き取り式リールから選ばれる一つによって実現されている、請求項１〜５記載の脚立用脚カバー
【請求項７】
上記袋状部が、懸架部材に対し取り外し可能に係合されている、請求項１〜６記載の脚立用脚カバー
【発明の詳細な説明】
【技術分野】
【０００１】
本発明は、脚立の脚に対して極めて短時間で付け外しの出来る脚カバーに関するものである。
【背景技術】
【０００２】
建築現場の内装作業工程において、一部又は全部施工された床材を有する場所で作業する場合、脚立等を用いて作業する際には、既に施工された床材を傷つけるようなことが無いようにしなければならない。また頻繁に室内と室外を往復しながら作業を続ける際には、室外の作業の際に付いた脚立の脚の泥などは、室内に持ち込むことは避けなければならない。
この様な作業環境に置かれた作業者は、各々が工夫を凝らし、脚立の脚にカバーをするなどして対処しているのが現状である。
【０００３】
カバーの材料としては、ウエスなどの布類、軍手などの編み製品、発泡スチロール、エアーキャップなど、手に入りやすい材料を用いていることが多い。またカバーの固定方法については、カバーの材料自体の伸縮性を利用する方法、カバーの上部を脚立の脚ごと紐で結ぶ方法、同様にゴムなどの伸縮性のある材料で固定する方法、ガムテープなどの粘着テープで固定する方法、面ファスナーで固定する方法など、やはり手に入りやすい材料を用いていることが多い。
【０００４】
特許文献１には、屋内用と屋外用の接地面を、部品の着脱により使い分ける脚先端部品が記載されているが、軍手をしたまま作業をするとこの様な部品を落とす可能性があり、特に高所においては拾い上げることが困難になる可能性がある。特許文献２には、弾力性を有する輪が内挿されていることにより脚部に取り付けられる脚部用カバーが記載されているが、非装着中に持ち歩かなくてはならない点及び、装着中にも輪の弾力性による脚部への摩擦においてのみ固定されているので、衝撃の影響で落下する恐れがある。特許文献３には、リング及び面ファスナーにより固定する脚カバーが記載されているが、軍手をしたままや薄明かりでの付け外しには向いていない。
【先行技術文献】
【特許文献】
【０００５】
【特許文献１】特許４６４７４６４号公報
【特許文献２】特許３８５０４０８号公報
【特許文献３】特開２００６−０６３７９７号公報
【発明の概要】
【発明が解決しようとする課題】
【０００６】
既存の方法でカバーを付ける場合の問題点は、装着中に外れる可能性があること、非装着中は脚立とは別途カバーを持ち歩かなければいけないこと、外れた場合や持ち歩いている間に紛失する恐れがあること、材料によっては作業期間中に容易に汚れを落とすのに向かないこと、ガムテープなど一回使用する度にゴミが発生すること、紐を結ぶ場合など一回の付け外しに時間の掛かること、軍手をしたままや薄明かりでの付け外しが難しいこと等が挙げられる。
【課題を解決するための手段】
【０００７】
本発明は、脚立の天板裏又は中途段の踏み板（以下天板裏等）より伸縮自在な懸架部材によって吊り下げられた４つの袋状部を持ち、極めて短時間で付け外しの出来る脚立用脚カバーを提供する。
【発明の効果】
【０００８】
本発明の脚立の脚カバーを用いることにより、非装着中には天板裏等より吊り下げられているため紛失せず、装着時には袋状部を引っ張って各脚先に袋状部を被せるだけで極めて短時間に装着可能で、装着中は懸架部材の張力により袋状部の落下を防ぐことが出来る。これにより室内作業時の床材の保護と、室外作業時に付いた泥を室内に持ち込まないことが実現し、かつ付け外しの時間が極めて短いことから、作業効率が向上する。
【図面の簡単な説明】
【０００９】
【図１】図１は４つの袋状部を独立した懸架部材により直接吊り下げる下部懸架部材と、最上段の天板より下部懸架部材を吊り下げる一つの上部懸架部材からなる、本発明の非装着時を示す説明図である。
【図２】図２は４つの袋状部を独立した懸架部材により直接吊り下げる下部懸架部材と、最上段の天板より下部懸架部材を吊り下げる一つの上部懸架部材からなる、本発明の装着時を示す説明図である。
【図３】図３は４つの袋状部を最上段の天板より独立に吊り下げる懸架部材からなる本発明の非装着時を示す説明図である。
【図４】図４は左右同高度の中途段の踏み板より２つずつの袋状部を吊り下げる懸架部材からなる本発明の非装着時を示す説明図である。
【図５】図５は袋状部を懸架部材に取り付ける各種取付方法を例示した説明図である。
【図６】図６は比較実験に使用した既製品Ａの図面代用写真である。
【図７】図７は比較実験に使用した既製品Ｂの図面代用写真である。
【図８】図８は比較実験に使用した本発明の図面代用写真である。
【発明を実施するための形態】
【００１０】
本発明は、脚立の天板裏等より伸縮自在な懸架部材によって吊り下げられた、４つの袋状部を持つ脚立用脚カバーである。
対象とする脚立について特に限定されるものではなく、市販され通常入手可能なものは全てその対象となる。したがって踏み台程度の背の低いものから高所作業が可能である背の高いものまで懸架部材の長さを変えることによって対応可能である。
また通常の脚立が、両脚の伸長により梯子として機能することは業界において周知であるから、本発明の脚カバーは梯子にも適用できる技術である。
【００１１】
懸架部材は脚立の天板裏等より吊り下げるが、天板のどの部分から吊り下げても構わないが、通常片方の天板の中央部分から吊すのが、４つの脚への長さが均等になり好ましい。懸架部材を天板裏に直接結合させても構わないが、後の部品交換の可能性から、天板にはリング等を設置しておき、懸架部材に付けたカラビナ等で脱着可能にすることが好ましい。
懸架部材の伸縮性の実現は、ゴム、スプリング、メリヤス編み製品等材料自体に伸縮性のあるもの、又は伸縮性の無いケーブルをスプリングにより巻き取る力を有するリールに巻いたものなどによって達成される。
懸架部材は天板より独立に４つの袋状部を懸架することが可能である。一方天板より共通する１本の上部懸架部材を吊り下げ、その下端より４本の独立した下部懸架部材を各一つの袋状部と共に吊り下げる方法も可能である。これらのどちらの方法が良いかは、脚立の高さ、懸架部材の種類などにより適宜選択可能である。
【００１２】
また高い脚立の場合、場合によっては懸架部材が長く効率の悪い場合も想定されるが、その場合、懸架部材を左右同高度の中途段の踏み板より２つずつ袋状部を吊り下げる事も出来る。この場合も２つの独立した懸架部材を用いることも共通する上部懸架部材と２つの下部懸架部材を組み合わせる事も出来る。
【００１３】
袋状部は、脚立の脚に入る程度の径と装着中に外れない程度の長さがあれば良い。材料はそれ自体が伸縮性を有さない、布、樹脂、皮等の場合と、伸縮性を有するメリヤス編み製品、ゴムなどの場合のどちらでも構わない。
【００１４】
本発明はその装着中は懸架部材の張力によって袋状部が天板方向に力が掛かっているため脱落する恐れは無いが、従来の方法のように袋状部に紐、ゴム、面ファスナーなどの繋止方法を付与することを妨げるものでは無い。同様に袋状部がメリヤス編み製品のように伸縮性を持つ材料であっても構わない。
懸架部材と袋状部は直接結合させても構わないが、袋状部は常に汚れる部分であり、汚れを落とす時に外せるように、懸架部材とはクリップ、カラビナ、安全ピンなどで脱着可能にすることが好ましい。汚れた場合に外して洗濯することが出来、入手のしやすさ、柔らかさ、伸縮性などの観点から、袋状部は靴下、軍手等が好ましい。
【００１５】
本発明において、非装着中は天板より真下に懸架部材と袋状部が吊り下げられている状態であり、紛失する心配が無いのに加え、必要な時にはすぐに装着することが出来、その装着時間は極めて短い。また背の高い脚立に本発明を適用した場合、非装着中の懸架部材が長く、作業の妨げになるようであれば、脚立の脚の途中に軽く繋止しておくことで解消出来る。
【００１６】
本発明において、装着中は各脚部先端に袋状部が装着され袋状部と天板の間を懸架部材が一定の張力を持って繋いでいる。したがって装着中に外れる恐れが無いため紛失の恐れも無い。そして不必要な時にはすぐに脱着することが出来、外した袋状部は懸架部材の伸縮性により非装着中の状態に戻るだけであるから、脚カバーをしまうこと無くその脱着時間も極めて短い。
【実施例１】
【００１７】
以下、本発明の脚カバーを市販されている既製品と比較する実験を行った。
【００１８】
既製品Ａ：図６に示すように、４つのカバーが独立しており、面ファスナーにより脚部に固定する製品である。装着に際しては、面ファスナーの操作が必要なため若干の時間を要する。非装着時には独立した４つのカバーであるため収納場所を要し、紛失の恐れがある。装着時には面ファスナーの締め付け具合によっては脱落の恐れがある。
【００１９】
既製品Ｂ：図７に示すように、４つのカバーが独立しており、カバー自体の伸縮性により脚部に固定される製品である。非装着時には独立した４つのカバーであるため収納場所を要し、紛失の恐れがある。装着時には伸縮性の強度によっては脱落の恐れがある。
【００２０】
本発明：図８に示すように、伸縮性を持つ４つのカバーを、一つに連結する４本の下部のゴム紐と、その下部のゴム紐を脚立天板より吊り下げる上部のゴム紐からなる製品である。非装着時には天板より吊り下げられているため紛失することは無い。装着時にはカバー自体の伸縮性に加え、ゴム紐による張力が掛かるため脱落の恐れが少ない。
【００２１】
実験方法：カバー非装着の状態から始め、脚立の４本の脚部にカバーを付け、続いてカバーを外すまでを１回とし、掛かる時間を測定した。合計７回の計測を行い平均値を結果とした。熟練の度合いにより作業の速度が変わることが考えられるため、中堅、新人、熟練の３人によってそれぞれ実験を行った。
【００２２】
実験結果：表１に示すとおり、中堅、新人、熟練３人とも着脱に掛かる時間は「既製品Ａ＞本発明＞既製品Ｂ」となった。
【００２３】
【表１】
2018109316.tif 000003
【００２４】
上記実験では脚カバーの収納までは測定していないため、既製品を使用する場合は着脱以外に収納の時間も必要とする。このため本発明の優位性は更に高まり、一回一回は数秒の差であっても、一日に数十回を数日〜数ヶ月繰り返す現場作業において、その時間差の積算及び紛失、脱落の恐れの無い点で有利な本発明は、作業員の作業効率やストレスの減少に寄与し、工事全体に対し経済的に貢献すると言える。
【産業上の利用可能性】
【００２５】
本発明の脚立の脚カバーを用いることにより、室内作業時の床材の保護と、室外作業時に付いた泥を室内に持ち込まないと言う要件を満たすことが出来、装着、脱着の時間が極めて短いことから、作業効率の向上、作業者のストレスの軽減、工期短縮が期待出来る。
【符号の説明】
【００２６】
１    懸架部材
２    袋状部
３    脚立本体
【図１】
2018109316.tif 000004
【図２】
2018109316.tif 000005
【図３】
2018109316.tif 000006
【図４】
2018109316.tif 000007
【図５】
2018109316.tif 000008
【図６】
2018109316.tif 000009
【図７】
2018109316.tif 000010
【図８】
2018109316.tif 000011
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
脚立において、脚立最上段の天板又は左右同高度の中途段の踏み板より伸縮自在な懸架部材によって吊り下げられた、４つの袋状部を持つ脚立用脚カバーであって、１）非装着時には懸架部材の張力によって袋状部が地上より上方に位置し、２）装着時には懸架部材の張力によって脚立の脚に被せた袋状部の脱落を防ぐことを特徴とする脚立用脚カバー
【請求項２】
上記懸架部材が、最上段の天板より４つの袋状部を吊り下げる請求項１記載の脚立用脚カバー
【請求項３】
上記懸架部材が、左右同高度の中途段の踏み板より２つずつの袋状部を吊り下げる請求項１記載の脚立用脚カバー
【請求項４】
上記懸架部材が、複数の独立した懸架部材により袋状部を直接吊り下げる、請求項１〜３記載の脚立用脚カバー
【請求項５】
上記懸架部材が、複数の独立した懸架部材により袋状部を直接吊り下げる下部懸架部材と、下部懸架部材を吊り下げる一つの上部懸架部材からなる、請求項１〜３記載の脚立用脚カバー
【請求項６】
上記懸架部材の伸縮性が、ゴム、スプリング、メリヤス編み、巻き取り式リールから選ばれる一つによって実現されている、請求項１〜５記載の脚立用脚カバー
【請求項７】
上記袋状部が、懸架部材に対し取り外し可能に係合されている、請求項１〜６記載の脚立用脚カバー